(57)【特許請求の範囲】
【請求項１】
印刷装置より収集した、印刷ログと印刷データからなるログ情報が格納された複数のログ情報収集装置と接続されて、前記ログ情報収集装置より前記ログ情報を回収する印刷管理装置であって、
前記印刷管理装置は、前記複数のログ情報収集装置に係る情報が格納された装置情報格納手段と、
前記装置情報格納手段に格納された前記ログ情報収集装置に係る情報に基づき、前記ログ情報を回収する前記ログ情報収集装置の順序を決定する回収装置順序決定手段とを有することを特徴とする印刷管理装置。
【請求項２】
前記ログ情報収集装置に係る情報は、前記ログ情報収集装置が設置された場所に係る情報であることを特徴とする請求項１に記載の印刷管理装置。
【請求項３】
前記ログ情報収集装置に係る情報は、前記ログ情報収集装置の有する記憶媒体の容量に係る情報であることを特徴とする請求項１記載の印刷管理装置。
【請求項４】
印刷装置より収集した、印刷ログと印刷データからなるログ情報が格納された複数のログ情報収集装置と接続されて、前記ログ情報収集装置より前記ログ情報を回収する印刷管理装置であって、
前記印刷管理装置は、前記ログ情報収集装置の装置状態情報を取得する装置状態情報取得手段と、
前記装置状態情報取得手段により取得された前記ログ情報収集装置の状態に基づき、前記ログ情報を回収する前記ログ情報収集装置の順序を決定する回収装置順序決定手段とを有することを特徴とする印刷管理装置。
【請求項５】
前記装置状態情報は、前記ログ情報収集装置が収集したログ情報のデータ容量に係る情報であることを特徴とする請求項４に記載の印刷管理装置。
【請求項６】
前記装置状態情報は、前記ログ情報収集装置が収集したログ情報の件数に係る情報であることを特徴とする請求項４に記載の印刷管理装置。
【請求項７】
印刷装置より収集した、印刷ログと印刷データからなるログ情報が格納された複数のログ情報収集装置と接続されて、前記ログ情報を前記ログ情報収集装置より回収する印刷管理装置であって、
前記印刷管理装置は、予め設定された設定情報に基づき、回収する前記ログ情報の順序を決定するログ情報回収順序決定手段を有することを特徴とする印刷管理装置。
【請求項８】
前記設定情報は、前記ログ情報が収集された印刷装置の種類に係る情報であることを特徴とする請求項７に記載の印刷管理装置。
【請求項９】
前記設定情報は、前記ログ情報のデータ容量に係る情報であることを特徴とする請求項７に記載の印刷管理装置。
【請求項１０】
前記設情報は、前記印ログ情報に含まれる特定のキーワードに係る情報であることを特徴とする請求項７に記載の印刷管理装置。
【請求項１１】
印刷装置より収集した、印刷ログと印刷データからなるログ情報が格納され、前記格納されたログ情報が印刷管理装置により回収されるログ情報収集装置であって、
前記ログ情報収集装置は、当該ログ情報収集装置の装置状態が予め設定された状態となったとき、前記印刷管理装置に前記ログ情報が回収されることを特徴とするログ情報収集装置。
【請求項１２】
印刷装置より収集した、印刷ログと印刷データからなるログ情報が格納され、前記格納されたログ情報が印刷管理装置により回収されるログ情報収集装置であって、
前記ログ情報収集装置は、予め設定された条件に基づき、前記格納されたログ情報が回収される順序を決定し、
前記ログ情報は、前記決定された順序に従って、前記印刷管理装置に回収されることを特徴とするログ情報収集装置。
【請求項１３】
印刷装置より収集した、印刷ログと印刷データからなるログ情報が格納された複数のログ情報収集装置と、前記ログ情報収集装置と接続された刷管理装置により構成される印刷管理システムにおいて、
前記印刷管理装置は、前記ログ情報収集装置に係る情報が格納されたログ情報収集装置情報格納手段と、
前記収集装置情報格納手段に格納された前記ログ情報収集装置に係る情報に基づき、前記ログ情報を回収する前記ログ情報収集装置の順序を決定する回収装置順序決定手段とを有し、
前記印刷管理装置は、前記回収装置順序決定手段により決定された順序に従い、前記ログ情報収集装置から前記ログ情報を回収することを特徴とする印刷管理システム。
【請求項１４】
印刷装置より収集した、印刷ログと印刷データからなるログ情報が格納された複数のログ情報収集装置と、前記ログ情報収集装置と接続された刷管理装置により構成される印刷管理システムにおいて、
前記印刷管理装置は、前記ログ情報収集装置の装置状態情報を取得する装置状態情報取得手段と、
前記装置状態情報取得手段により取得された前記ログ情報収集装置の状態に基づき、前記ログ情報を回収する前記ログ情報収集装置の順序を決定する回収装置順序決定手段とを有し、
前記印刷管理装置は、前記回収装置順序決定手段により決定された順序に従い、前記ログ情報収集装置から前記ログ情報を回収することを特徴とする印刷管理システム。
【請求項１５】
印刷装置より収集した、印刷ログと印刷データからなるログ情報が格納された複数のログ情報収集装置と、前記ログ情報収集装置と接続された刷管理装置により構成される印刷管理システムにおいて、
前記印刷管理装置は、予め設定された設定情報に基づき、回収する前記ログ情報の順序を決定するログ情報回収順序決定手段を有し、
前記印刷管理装置は、前記ログ情報回収順序決定手段により決定された順序に従い、前記ログ情報収集装置から前記ログ情報を回収することを特徴とする印刷管理システム。
【請求項１６】
印刷装置より収集した、印刷ログと印刷データからなるログ情報が格納された複数のログ情報収集装置と接続されて、前記ログ情報収集装置より前記ログ情報を回収し、前記複数のログ情報収集装置に係る情報が格納された装置情報格納手段を有する印刷管理装置における印刷管理方法であって、
前記印刷管理方法は、前記装置情報格納手段に格納された前記ログ情報収集装置に係る情報に基づき、前記ログ情報を回収する前記ログ情報収集装置の順序を決定する回収装置順序決定手順とを有することを特徴とする印刷管理方法。
【請求項１７】
印刷装置より収集した、印刷ログと印刷データからなるログ情報が格納された複数のログ情報収集装置と接続されて、前記ログ情報収集装置より前記ログ情報を回収する印刷管理装置おける印刷管理方法であって、
前記印刷管理方法は、前記ログ情報収集装置の装置状態情報を取得する装置状態情報取得手順と、
前記装置状態情報取得手順により取得された前記ログ情報収集装置の状態に基づき、前記ログ情報を回収する前記ログ情報収集装置の順序を決定する回収装置順序決定手順とを有することを特徴とする印刷管理方法。
【請求項１８】
印刷装置より収集した、印刷ログと印刷データからなるログ情報が格納された複数のログ情報収集装置と接続されて、前記ログ情報収集装置より前記ログ情報を回収する印刷管理装置における印刷管理方法であって、
前記印刷管理方法は、予め設定された設定情報に基づき、回収する前記ログ情報の順序を決定するログ回収順序決定手順を有することを特徴とする印刷管理方法。
【請求項１９】
印刷装置より収集した、印刷ログと印刷データからなるログ情報が格納された複数のログ情報収集装置と接続されて、前記ログ情報収集装置より前記印刷ログを回収し、前記ログ情報収集装置に係る情報が格納された装置情報格納手段を有する印刷管理装置における印刷管理プログラムであって、
コンピュータに、前記装置情報格納手段に格納された前記ログ情報収集装置に係る情報に基づき、前記ログ情報を回収する前記ログ情報収集装置の順序を決定する回収装置順序決定手順を実行させることを特徴とする印刷管理プログラム。
【請求項２０】
印刷装置より収集した、印刷ログと印刷データからなるログ情報が格納された複数のログ情報収集装置と接続されて、前記ログ情報収集装置より前記ログ情報を回収する印刷管理装置における印刷管理プログラムであって、
コンピュータに、前記ログ情報収集装置の装置状態情報を取得する装置状態情報取得手順と、
前記装置状態情報取得手順により取得された前記ログ情報収集装置の状態に基づき、前記ログ情報を回収する前記ログ情報収集装置の順序を決定する回収装置順序決定手順とを実行させることを特徴とする印刷管理プログラム。
【請求項２１】
印刷装置より収集した、印刷ログと印刷データからなるログ情報が格納された複数のログ情報収集装置と接続されて、前記ログ情報収集装置より前記ログ情報を回収する印刷管理装置における印刷管理プログラムであって、
コンピュータに、予め設定された設定情報に基づき、回収する前記ログ情報の順序を決定するログ情報回収順序決定手順を実行させることを特徴とする印刷管理プログラム。
【請求項２２】
請求項１９ないし２１のいずれか一項に記載の印刷管理プログラムを記憶したコンピュータ読み取り可能な記憶媒体。
【発明の詳細な説明】
【技術分野】
【０００１】
本発明は、印刷ログを収集し、管理する印刷管理装置、ログ情報収集装置、印刷管理システム、印刷管理方法、印刷管理プログラム及び記憶媒体に関する。
【背景技術】
【０００２】
クライアントが印刷した印刷データを蓄積することにより、情報の漏洩が起こった際に漏洩のルートを追跡可能とするシステムがある。特開２００３−３３０６７７号公報（特許文献１）には、クライアント側からの印刷データを全てサーバ経由で印刷して印刷ログを取得し、取得した印刷ログ及び印刷データを蓄積保管することにより、情報の漏洩が起こった際に追跡可能とする印刷データ管理システム、方法、プログラム及び記録媒体が開示されている。
【０００３】
また、特開２００５−１９６２６０号公報（特許文献２）には、ネットワークを介して印刷装置から印刷出力する際に、実際に印刷出力されたページまでをＰＤＦ等の閲覧可能データとして蓄積するコンピュータ端末、印刷制御方法及びコンピュータプログラムが開示されている。特開２００２−１４９３７１号公報（特許文献３）には、印刷ログ及び印刷データを保存することにより、セキュリティを管理するセキュリティ管理システムが開示されている。
【０００４】
特開２００２−２５９１０３号公報（特許文献４）には、プリンタ装置に対して印刷ジョブの出力を行った一のコンピュータ装置から得られた印刷ログと、プリンタ装置で実際に行われた印刷についての状態情報とがマージされて、管理用の印刷ログが生成される印刷システムが開示されている。
【特許文献１】特開２００３−３３０６７７号公報
【特許文献２】特開２００５−１９６２６０号公報
【特許文献３】特開２００２−１４９３７１号公報
【特許文献４】特開２００２−２５９１０３号公報
【発明の開示】
【発明が解決しようとする課題】
【０００５】
上記の特許文献１ないし４に開示された発明では、印刷履歴と共に印刷データを保存することが可能である。
【０００６】
しかしながら、例えば複数台のプリンタが配置されていた場合などでは、保存すべき印刷データと印刷ログの容量が膨大となり、効率よく重要な印刷データと印刷ログを保存することができない。
【０００７】
本発明は、これらを鑑みて、上記従来の問題を解決すべくなされたものであり、より重要なログ情報や機密性の高いログ情報を効率良く回収する印刷管理装置、ログ情報収集装置、印刷管理システム、印刷管理方法、印刷管理プログラム及び記憶媒体を提供することを目的としている。
【課題を解決するための手段】
【０００８】
本発明は、上記目的を達成するために、以下のような構成とした。
【０００９】
本発明の印刷管理装置は、印刷装置より収集した、印刷ログと印刷データからなるログ情報が格納された複数のログ情報収集装置と接続されて、前記ログ情報収集装置より前記ログ情報を回収する印刷管理装置であって、前記印刷管理装置は、前記複数のログ情報収集装置に係る情報が格納された装置情報格納手段と、前記装置情報格納手段に格納された前記ログ情報収集装置に係る情報に基づき、前記ログ情報を回収する前記ログ情報収集装置の順序を決定する回収装置順序決定手段とを有する構成とすることができる。
【００１０】
係る構成によれば、より重要なログ情報や機密性の高いログ情報を効率良く回収することができる。
【００１１】
また、前記ログ情報収集装置に係る情報は、前記ログ情報収集装置が設置された場所に係る情報である構成とすることができる。
【００１２】
係る構成によれば、重要なログ情報や機密性の高いログ情報が、より多く蓄積される場所に設置されたログ情報収集装置からログ情報を回収することができる。
【００１３】
また、前記ログ情報収集装置に係る情報は、前記ログ情報収集装置の有する記憶媒体の容量に係る情報である構成とすることができる。
【００１４】
係る構成によれば、例えばログ情報収集装置の有する記憶媒体の空き容量等に応じてログ情報を回収することができる。
【００１５】
本発明の印刷管理装置は、印刷装置より収集した、印刷ログと印刷データからなるログ情報が格納された複数のログ情報収集装置と接続されて、前記ログ情報収集装置より前記ログ情報を回収する印刷管理装置であって、前記印刷管理装置は、前記ログ情報収集装置の装置状態情報を取得する装置状態情報取得手段と、前記装置状態情報取得手段により取得された前記ログ情報収集装置の状態に基づき、前記ログ情報を回収する前記ログ情報収集装置の順序を決定する回収装置順序決定手段とを有する構成とすることができる。
【００１６】
係る構成によれば、ログ情報収集装置の状態に基づき、より重要なログ情報や機密性の高いログ情報を効率的に回収することができる。
【００１７】
また、前記装置状態情報は、前記ログ情報収集装置が収集したログ情報のデータ容量に係る情報である構成とすることができる。
【００１８】
係る構成によれば、例えばより多くのログ情報が蓄積されたログ情報収集装置からログ情報を回収することができる。
【００１９】
また、前記装置状態情報は、前記ログ情報収集装置が収集したログ情報の件数に係る情報である構成とすることができる。
【００２０】
係る構成によれば、例えば蓄積されたログ情報の件数が多いログ情報収集装置からログ情報を回収することができる。
【００２１】
本発明の印刷管理装置は、印刷装置より収集した、印刷ログと印刷データからなるログ情報が格納された複数のログ情報収集装置と接続されて、前記ログ情報を前記ログ情報収集装置より回収する印刷管理装置であって、前記印刷管理装置は、予め設定された設定情報に基づき、回収する前記ログ情報の順序を決定するログ情報回収順序決定手段を有する構成とすることができる。
【００２２】
係る構成によれば、予め設定された設定情報に基づき、より重要なログ情報や機密性の高いログ情報から順に回収することができる。
【００２３】
また、前記設定情報は、前記ログ情報が収集された印刷装置の種類に係る情報である構成とすることができる。
【００２４】
係る構成によれば、特定の種類の印刷装置で生成されたログ情報を優先して回収することができる。
【００２５】
また、前記設定情報は、前記ログ情報のデータ容量に係る情報である構成とすることができる。
【００２６】
係る構成によれば、例えばよりデータ容量の小さいログ情報から優先して回収することができる。
【００２７】
また、前記設情報は、前記印ログ情報に含まれる特定のキーワードに係る情報である構成とすることができる。
【００２８】
係る構成によれば、例えば特定のキーワードを含むログ情報を優先して回収することができる。
【００２９】
本発明のログ収集装置は、印刷装置より収集した、印刷ログと印刷データからなるログ情報が格納され、前記格納されたログ情報が印刷管理装置により回収されるログ情報収集装置であって、前記ログ情報収集装置は、当該ログ情報収集装置の装置状態が予め設定された状態となったとき、前記印刷管理装置に前記ログ情報が回収される構成とすることができる。
【００３０】
係る構成によれば、当該ログ情報収集装置の状態に応じて蓄積されたログ情報を印刷管理装置に回収させる。
【００３１】
本発明のログ情報収集装置は、印刷装置より収集した、印刷ログと印刷データからなるログ情報が格納され、前記格納されたログ情報が印刷管理装置により回収されるログ情報収集装置であって、前記ログ情報収集装置は、予め設定された条件に基づき、前記格納されたログ情報が回収される順序を決定し、前記ログ情報は、前記決定された順序に従って、前記印刷管理装置に回収される構成とすることができる。
【００３２】
係る構成によれば、当該ログ情報収集装置において、例えばより重要なログ情報から印刷管理装置に回収されるように、ログ情報が回収される順序を決定することができる。
【００３３】
本発明の印刷管理システムは、印刷装置より収集した、印刷ログと印刷データからなるログ情報が格納された複数のログ情報収集装置と、前記ログ情報収集装置と接続された刷管理装置により構成される印刷管理システムにおいて、前記印刷管理装置は、前記ログ情報収集装置に係る情報が格納されたログ情報収集装置情報格納手段と、前記収集装置情報格納手段に格納された前記ログ情報収集装置に係る情報に基づき、前記ログ情報を回収する前記ログ情報収集装置の順序を決定する回収装置順序決定手段とを有し、前記印刷管理装置は、前記回収装置順序決定手段により決定された順序に従い、前記ログ情報収集装置から前記ログ情報を回収する構成とすることができる。
【００３４】
係る構成によれば、所定の順序でログ情報収集装置からログ情報を回収することができ、効率よく重要なログ情報や機密性の高いログ情報を回収できる。
【００３５】
本発明の印刷管理システムは、印刷装置より収集した、印刷ログと印刷データからなるログ情報が格納された複数のログ情報収集装置と、前記ログ情報収集装置と接続された刷管理装置により構成される印刷管理システムにおいて、前記印刷管理装置は、前記ログ情報収集装置の装置状態情報を取得する装置状態情報取得手段と、前記装置状態情報取得手段により取得された前記ログ情報収集装置の状態に基づき、前記ログ情報を回収する前記ログ情報収集装置の順序を決定する回収装置順序決定手段とを有し、前記印刷管理装置は、前記回収装置順序決定手段により決定された順序に従い、前記ログ情報収集装置から前記ログ情報を回収する構成とすることができる。
【００３６】
係る構成によれば、ログ情報収集装置の状態に基づき、より重要なログ情報や機密性の高いログ情報を効率的に回収することができる。
【００３７】
本発明の印刷管理システムは、印刷装置より収集した、印刷ログと印刷データからなるログ情報が格納された複数のログ情報収集装置と、前記ログ情報収集装置と接続された刷管理装置により構成される印刷管理システムにおいて、前記印刷管理装置は、予め設定された設定情報に基づき、回収する前記ログ情報の順序を決定するログ情報回収順序決定手段を有し、前記印刷管理装置は、前記ログ情報回収順序決定手段により決定された順序に従い、前記ログ情報収集装置から前記ログ情報を回収する構成とすることができる。
【００３８】
係る構成によれば、予め設定された設定情報に基づき、より重要なログ情報や機密性の高いログ情報から順に回収することができる。
【００３９】
本発明の印刷管理方法は、印刷装置より収集した、印刷ログと印刷データからなるログ情報が格納された複数のログ情報収集装置と接続されて、前記ログ情報収集装置より前記ログ情報を回収し、前記複数のログ情報収集装置に係る情報が格納された装置情報格納手段を有する印刷管理装置における印刷管理方法であって、前記印刷管理方法は、前記装置情報格納手段に格納された前記ログ情報収集装置に係る情報に基づき、前記ログ情報を回収する前記ログ情報収集装置の順序を決定する回収装置順序決定手順とを有する方法とすることができる。
【００４０】
係る方法によれば、所定の順序でログ情報収集装置からログ情報を回収することができ、効率よく重要なログ情報や機密性の高いログ情報を回収できる。
【００４１】
また、本発明の印刷管理方法は、印刷装置より収集した、印刷ログと印刷データからなるログ情報が格納された複数のログ情報収集装置と接続されて、前記ログ情報収集装置より前記ログ情報を回収する印刷管理装置おける印刷管理方法であって、前記印刷管理方法は、前記ログ情報収集装置の装置状態情報を取得する装置状態情報取得手順と、前記装置状態情報取得手順により取得された前記ログ情報収集装置の状態に基づき、前記ログ情報を回収する前記ログ情報収集装置の順序を決定する回収装置順序決定手順とを有する方法とすることができる。
【００４２】
係る方法によれば、ログ情報収集装置の状態に基づき、より重要なログ情報や機密性の高いログ情報を効率的に回収することができる。
【００４３】
本発明の印刷管理方法は、印刷装置より収集した、印刷ログと印刷データからなるログ情報が格納された複数のログ情報収集装置と接続されて、前記ログ情報収集装置より前記ログ情報を回収する印刷管理装置における印刷管理方法であって、前記印刷管理方法は、予め設定された設定情報に基づき、回収する前記ログ情報の順序を決定するログ回収順序決定手順を有する方法とすることができる。
【００４４】
係る方法によれば、予め設定された設定情報に基づき、より重要なログ情報や機密性の高いログ情報から順に回収することができる。
【００４５】
本発明の印刷管理プログラムは、印刷装置より収集した、印刷ログと印刷データからなるログ情報が格納された複数のログ情報収集装置と接続されて、前記ログ情報収集装置より前記印刷ログを回収し、前記ログ情報収集装置に係る情報が格納された装置情報格納手段を有する印刷管理装置における印刷管理プログラムであって、コンピュータに、前記装置情報格納手段に格納された前記ログ情報収集装置に係る情報に基づき、前記ログ情報を回収する前記ログ情報収集装置の順序を決定する回収装置順序決定手順を実行させるプログラムとすることができる。
【００４６】
係るプログラムによれば、前記印刷管理装置に、所定の順序でログ情報収集装置からログ情報を回収させることができ、効率よく重要なログ情報や機密性の高いログ情報を回収させることができる。
【００４７】
本発明の印刷管理プログラムは、印刷装置より収集した、印刷ログと印刷データからなるログ情報が格納された複数のログ情報収集装置と接続されて、前記ログ情報収集装置より前記ログ情報を回収する印刷管理装置における印刷管理プログラムであって、コンピュータに、前記ログ情報収集装置の装置状態情報を取得する装置状態情報取得手順と、前記装置状態情報取得手順により取得された前記ログ情報収集装置の状態に基づき、前記ログ情報を回収する前記ログ情報収集装置の順序を決定する回収装置順序決定手順とを実行させるプログラムとすることができる。
【００４８】
係るプログラムによれば、前記印刷管理装置に、ログ情報収集装置の状態に基づき、より重要なログ情報や機密性の高いログ情報を効率的に回収させることができる。
【００４９】
本発明の印刷管理プログラムは、印刷装置より収集した、印刷ログと印刷データからなるログ情報が格納された複数のログ情報収集装置と接続されて、前記ログ情報収集装置より前記ログ情報を回収する印刷管理装置における印刷管理プログラムであって、コンピュータに、予め設定された設定情報に基づき、回収する前記ログ情報の順序を決定するログ情報回収順序決定手順を実行させるプログラムとすることができる。
【００５０】
係るプログラムによれば、前記印刷管理装置は、予め設定された設定情報に基づき、より重要なログ情報や機密性の高いログ情報から順に回収させることができる。
【００５１】
また、本発明の記憶媒体は、上述の印刷管理プログラムを記憶したコンピュータ読み取り可能な記憶媒体である。
【発明の効果】
【００５２】
本発明によれば、より重要なログ情報や機密性の高いログ情報を早急に回収することができる。
【発明を実施するための最良の形態】
【００５３】
本発明は、印刷装置より収集したログ情報が格納された、複数のログ情報収集装置に接続された印刷管理装置において、ログ情報収集装置の装置情報や装置状態に基づき、格納されたログ情報を回収するログ情報収集装置、または回収するログ情報の順序を決定する。そして、決定された順序でログ情報を回収することにより、より重要なログ情報や、漏洩の可能性の高いログ情報を早急に効率良く回収する。
【実施例１】
【００５４】
以下に図面を参照して本発明の実施例１について説明する。図１は、本実施例の印刷管理システム１００のシステム構成図の例である。
【００５５】
印刷管理システム１００は、印刷管理装置１１０、ログ情報収集装置１２０、ログ情報収集装置１２０に接続された印刷装置１２１、印刷装置１２１に印刷要求を送信する印刷要求端末１２２、ログ情報収集装置１３０、ログ情報収集装置１３０に接続された印刷装置１３１、印刷装置１３１に印刷要求を送信する印刷要求端末１３２がそれぞれネットワークを介して接続されて構成されている。
【００５６】
印刷管理装置１１０は、ログ情報格納部１１１、装置情報格納部１１２、装置状態取得部１１３、回収装置順序決定部１１４、ログ情報回収決定部１１５を備えている。印刷管理装置１１０は、ログ情報収集装置１２０、１３０に格納されたログ情報を回収し、この回収したログ情報をログ情報格納部１１１に格納して管理する。
【００５７】
装置情報格納部１１２は、ログ情報収集装置１２０、１３０に係る設定情報などが格納されている。ここでいう設定情報とは、例えばログ情報収集装置１２０、１３０が設置された場所に関する情報や、ログ情報収集装置１２０、１３０のそれぞれに接続された印刷装置の台数、ログ情報収集装置１２０、１３０の備えるハードディスクやメモリなどの記憶装置の容量などである。
【００５８】
装置状態取得部１１３は、ログ情報収集装置１２０、１３０の装置状態に係る情報を取得する。ここで言う装置状態とは、例えばログ情報収集装置１２０、１３０の備えるハードディスクやメモリなどの記憶装置の空き容量、ログ情報収集装置１２０、１３０の格納されたログ情報の容量、ログ情報収集装置１２０、１３０の備えるＣＰＵの稼働時間などである。
【００５９】
回収装置順序決定部１１４は、装置情報格納部１１２に格納された装置情報や、装置状態取得部１１３で取得される装置状態に基づき、ログ情報が回収されるログ情報収集装置の順序を決定する。ログ情報回収順序決定部１１５は、予め設定された設定情報に基づき、回収されるログ情報の順序を決定する。ここでいう予め設定された設定情報については実施例２で説明する。
【００６０】
ログ情報収集装置１２０は、例えば演算処理装置であるＣＰＵとメモリを有するコンピュータなどで実現される。ログ情報収集装置１２０は印刷装置１２１と接続されている。ログ情報収集装置１２０は例えばデータベース１２３を備えており、印刷装置１２１から送信されてきたログ情報をこのデータベース１２３へ格納している。尚ここで、データベース１２３は、ログ情報収集装置１２０を実現するコンピュータの外部に適切な方法で接続されていても良いし、ログ情報収集装置１２０を実現するコンピュータの内部に備えられたハードディスクドライブなどであっても良い。
【００６１】
印刷装置１２１は、例えばプリンタ等であり、印刷要求端末１２２により作成された印刷データを受けてこの印刷データの印刷処理を行い、この印刷データの印刷処理の履歴である印刷ログを生成する。そして、印刷データと印刷ログとをログ情報としてログ情報収集装置１２０へ送信する。尚、印刷装置１２１は、プリント機能を備えていれば良く、カラープリンタや複合機、モノクロプリンタなどであっても良い。
【００６２】
印刷要求端末１２２は、例えば入力装置と表示装置を備えるコンピュータなどである。印刷要求端末１２２では、印刷装置１２１への印刷指示の他にも、ユーザによる印刷データの作成などが行われる。印刷要求端末１２２において作成された印刷データは、印刷指示と共に印刷装置１２１へ送信され、印刷装置１２１における印刷処理により出力される。
【００６３】
ログ情報収集装置１３０、印刷装置１３１、印刷要求端末１３２、ログ情報収集装置１３０の備えるデータベース１３３は、その構成及び機能がログ情報収集装置１２０、印刷装置１２１、印刷要求端末１２２、データベース１２３と同様であるから説明は省略する。
【００６４】
以下に、印刷管理システム１００の処理について説明する。図２は、印刷管理システム１００の動作を説明するフローチャートの例である。
【００６５】
まず、印刷要求端末１２２、１３２において、ユーザにより印刷データが作成されて、印刷指示が出されると、この印刷要求とともに、作成された印刷データが印刷装置１２１、１３１に送られる（Ｓ２１）。印刷装置１２１、１３１では、この印刷要求と、印刷データを受けて印刷処理を行い、印刷処理の履歴である印刷ログを生成する（Ｓ２２）。そして、印刷装置１２１、１３１は、印刷処理により出力した印刷データと、印刷ログをログ情報として、ログ情報収集装置１２０、１３０へ送信する（Ｓ２３）。ログ情報収集装置１２０、１３０では、印刷装置１２１、１３１から送信されるログ情報を受信し、このログ情報をデータベース１２３、１３３へ格納し、蓄積していく。
【００６６】
印刷装置１２１、１３１は、印刷処理を実行する度にこの処理を繰り返し、ログ情報収集装置１２０、１３０にはログ情報が蓄積されていく。
【００６７】
ログ情報収集装置１２０、１３０にログ情報が蓄積されると、印刷管理装置１１０は、各種設定に基づきログ情報収集装置１２０、１３０よりログ情報を回収する。そして印刷管理装置１１０は、この回収したログ情報をログ情報格納部１１１に格納する。印刷管理装置１１０内に格納されたログ情報は、例えばバックアップデータ等として、記憶媒体に複写されて保管されても良い。
【００６８】
次に、印刷管理装置１１０が、装置情報格納部１１２に格納されたログ情報収集装置１２０、１３０の装置情報に基づき、ログ情報収集装置１２０、１３０に蓄積されたログ情報を回収する際の順序について説明する。
【００６９】
まず、装置情報格納部１１２には、ログ情報収集装置１２０、１３０が設置された場所に関する情報が格納されていた場合について説明する。図３は、ログ情報収集装置の設置場所に基づく回収処理を説明するフローチャートの例である。
【００７０】
ここでの設置場所とは、例えばログ情報収集装置の設置される部署や部屋などの情報である。ログ情報収集装置は、設置される場所によって、収集するログ情報の内容や機密性、重要度などが異なることが考えられる。例えばある会社の人事部に設置されログ情報収集装置は、他の部署に設置されたログ情報収集装置に比べて機密性の高いログ情報を収集する可能性が高い。このように、機密性の高いログ情報は、情報漏洩を防止するためにも早急に回収する必要がある。
【００７１】
図３に示す例では、装置情報格納部１１２には、ログ情報収集装置１２０、１３０の設置場所に関する情報がユーザにより予め登録されている。また、印刷管理装置１１０の有するメモリ（図示せず）などには、ユーザによりログ情報が回収される設置場所の優先順位が予め登録される（Ｓ３１）。
【００７２】
回収装置順序決定部１１４は、装置情報格納部１１２に登録されて格納されたログ情報収集装置の設置場所に係る情報と、設置場所の優先順位に基づき、最初に優先してログ情報を回収するログ情報収集装置を選択する。そして、ここで選択されたログ情報収集装置から順に、ログ情報を回収するログ情報収集装置の順序を決定する（Ｓ３２）。印刷管理装置１１０は、Ｓ３２において決定されて順序にログ情報収集装置に蓄積されたログ情報を回収していく。
【００７３】
本実施例では、例えばログ情報収集装置１２０が人事部に設置され、ログ情報収集装置１３０が広報部に設置されていたとする。これらの設置場所の情報は、装置情報格納部１１２に予め登録されており、さらに設置場所の優先順位が、人事部、広報部の順であることが印刷管理装置１１０に登録されていたとする。すると、回収装置順序決定部１１４は、Ｓ３２において、優先的にログ情報を回収するログ情報収集装置としてログ情報収集装置１２０を選択する。そして、Ｓ３３において、始めにログ情報収集装置１２０へアクセスし、データベース１２３に蓄積さたれたログ情報を回収する。
【００７４】
印刷管理装置１１０は、データベース１２３に蓄積された、回収可能なログ情報を全て回収すると、次にログ情報収集装置１３０へアクセスしてデータベース１３３に蓄積された回収可能なログ情報を回収する。印刷管理装置１１０は、データベース１３３に蓄積されたログ情報の回収処理が終了すると、再度ログ情報収集装置１２０からログ情報を回収する処理を行う。
【００７５】
ここで、印刷管理システム１００では、例えば印刷管理装置１１０がログ情報収集装置１２０、１３０にアクセスしてログ情報を回収することができる回収可能時間が予め設定されていても良い。この回収可能時間が設定されている場合には、印刷管理装置１１０は、回収可能時間内はＳ３２、Ｓ３３の処理を繰り返す。
【００７６】
次に、装置情報格納部１１２に、ログ情報収集装置に接続された印刷装置の数に関する情報が格納されていた場合について説明する。図４は、ログ情報収集装置に接続された印刷装置の数に基づく回収処理を説明するフローチャートの例である。
【００７７】
ログ情報収集装置において、１台あたりのログ情報収集装置に接続されている印刷装置の数が多いほど、ログ情報収集装置に収集されるログ情報が多くなる。よって、接続された印刷装置の台数が多いログ情報収集装置から優先的に、蓄積されたログ情報を回収することにより、ログ情報収集装置のデータベースに常に新たなログ情報を蓄積するだけの空容量を持たせることができる。
【００７８】
装置情報格納部１１２には、各ログ情報収集装置に接続された印刷装置の台数が予め登録されている。印刷管理装置１１０は、装置情報格納部１１２から、予め登録されて格納された、各ログ情報収集装置に接続された印刷装置の台数の情報を取得する（Ｓ４１）。回収装置順序決定部１１４は、この取得された印刷装置の台数の情報に基づき、接続された印刷装置の台数が最も多いログ情報収集装置を選択する（Ｓ４２）。そして、印刷管理装置１１０は、Ｓ４２で選択されたログ情報収集装置から、接続された印刷装置の台数が多い順に、ログ情報収集装置からログ情報を回収する（Ｓ４３）。
【００７９】
尚ここで、本実施例では接続された印刷装置の台数情報は、装置情報格納部１１２に予め登録するものとしたが、この台数情報がＳ４１において装置状態取得部１１３により取得されても良い。
【００８０】
例えばログ情報収集装置には、印刷装置１２１の他に図示しないもう一台の印刷装置が接続されていたとする。Ｓ４１において、印刷管理装置１１０は、ログ情報収集装置１２０に接続された印刷装置の台数「２」と、ログ情報収集装置１３０に接続された印刷装置の台数「１」を取得する。そして、Ｓ４２において、回収装置順序決定部１１３は、最初にログ情報を回収するログ情報収集装置として、接続された印刷装置の台数の多いログ情報収集装置１２０を選択する。そしてＳ４３において、印刷管理装置１１０は、最初にログ情報収集装置１２０、次にログ情報収集装置１３０という順序でそれぞれのデータベース１２３、１３３に蓄積されたログ情報を回収する。
【００８１】
次に、装置情報格納部１１２に、過去のログ情報収集装置における情報漏洩の履歴が格納されていた場合について説明する。図５は、ログ情報収集装置の情報漏洩履歴に基づく回収処理を説明するフローチャートの例である。
【００８２】
過去に情報の漏洩があったログ情報収集装置では、他のログ情報収集装置に比べてより重要で機密性の高いログ情報が蓄積されている可能性がある。よって、予め過去のログ情報収集装置の情報漏洩などの履歴を装置情報格納部１１２に登録して格納しておくことにより、過去に情報漏洩のあったログ情報収集装置から優先的にログ情報を回収することができる。
【００８３】
装置情報格納部１１２には、各ログ情報収集装置の過去の履歴が予め登録されている。印刷管理装置１１０は、装置情報格納部１１２から、予め登録されたログ情報収集装置の履歴の情報を取得する（Ｓ５１）。回収装置順序決定部１１４は、Ｓ５１で取得した履歴の情報に基づき、過去に情報漏洩のあったログ情報収集装置を選択する。ここで選択されたログ情報収集装置から順に、回収装置順序決定部１１４はログ情報を回収するログ情報収集装置の順序を決定する（Ｓ５２）。印刷管理装置１１０は、Ｓ５２で決定されたログ情報収集装置から順に、蓄積されたログ情報を回収する（Ｓ５３）。
【００８４】
ここで、Ｓ５２において決定するログ情報収集装置の順序は、例えは情報漏洩をおこした回数の最も多いログ情報収集装置から優先的にログ情報を回収するようにしても良い。こうすることにより、過去に漏洩のあったログ情報収集装置を重点的に管理しつつ、より重要なログ情報を優先的に回収することができる。
【００８５】
次に、装置情報格納部１１２に、ログ情報収集装置の備える記憶装置の総容量に関する情報が格納されていた場合について説明する。記憶装置とは、例えばハードディスクドライブ（以下ＨＤＤ）やメモリなどであり、本実施例では例えばデータベース１２３やデータベース１３３の容量などである。図６は、ログ情報収集装置が備える記憶装置の容量に基づく回収処理を説明するフローチャートの例である。
【００８６】
装置情報格納部１１２には、例えば印刷管理装置１１０に接続されたログ情報収集装置の備える記憶装置の容量の情報が予め登録されて、格納されている。印刷管理装置１１０は、回装置情報格納部１１２より、各記憶装置の容量の情報を取得する（Ｓ６１）。回収装置順序決定部１１４は、Ｓ６１で取得した容量の情報に基づき、最も容量の小さい記憶装置を備えるログ情報収集装置を選択する。そして、ここで選択されたログ情報収集装置から、記憶装置の小さい順に、ログ情報を回収するログ情報収集装置の順序を決定する（Ｓ６２）。印刷管理装置１１０は、Ｓ７２で決定された順に蓄積されたログ情報を回収する（Ｓ６３）。
【００８７】
本実施例においては、例えばデータベース１２３の容量とデータべース１３３の容量が装置情報格納部１１２に予め登録されて、格納されている。ここで、例えばデータベース１２３の方が、データベース１３３よりも容量が小さい場合、回収装置順序決定部１１４は、Ｓ６２において、データベース１２３を備えるログ情報収集装置１２０を選択する。そして、印刷管理装置１１０は、始めにログ情報収集装置１２０、ログ情報収集装置１３０の順にそれぞれのデータベース１２３、１３３に蓄積されたログ情報を回収する。
【００８８】
このように、容量の小さい記憶装置を備えたログ情報収集装置から優先的に蓄積されたログ情報を回収すれば、ログ情報収集装置において記憶装置に空き容量がなくなりログ情報を収集できなくなる状態を回避できる。
【００８９】
次に、印刷管理装置１１０が、装置状態取得部１１３に取得されたログ情報収集装置１２０、１３０の装置状態に基づき、ログ情報収集装置１２０、１３０に蓄積されたログ情報を回収する際の順序について説明する。
【００９０】
図７は、ログ情報収集装置が備える記憶装置の空き容量に基づく回収処理を説明するフローチャートの例である。装置状態取得部１１３は、印刷管理装置１１０に接続された各ログ情報収集装置から、各ログ情報収集装置の備える記憶装置の空き容量の情報を取得する（Ｓ７１）。
【００９１】
回収装置順序決定部１１４は、装置状態取得部１１３により取得された空き容量の情報に基づき、空き容量が最も少ない状態のログ情報収集装置を選択する。そして回収装置順序決定部１１４は、記憶装置の空き容量が少ない順に、ログ情報を回収するログ情報収集装置の順序を決定する（Ｓ７２）。印刷管理装置１１０は、Ｓ７２で決定された順に、各ログ情報収集装置に蓄積されたログ情報を回収する（Ｓ７３）。
【００９２】
このように、記憶装置の空き容量が小さい状態にあるログ情報収集装置から優先的に蓄積されたログ情報を回収することにより、ログ情報収集装置において記憶装置に空き容量がなくなりログ情報を収集できなくなる状態を回避できる。
【００９３】
図８は、ログ情報収集装置に蓄積されたログ情報のデータ容量に基づく回収処理を説明するフローチャートの例である。装置状態取得部１１３は、印刷管理装置１１０に接続された各ログ情報収集装置から、各ログ情報収集装置に蓄積されたログ情報のデータ容の情報を取得する（Ｓ８１）。
【００９４】
回収装置順序決定部１１４は、装置状態取得部１１３により取得されたログ情報のデータ容量の情報に基づき、最も蓄積されたログ情報のデータ容量が大きいログ情報収集装置を選択する。そして回収装置順序決定部１１４は、蓄積されたログ情報のデータ容量が大きい順に、ログ情報を回収するログ情報収集装置の順序を決定する（Ｓ８２）。印刷管理装置１１０は、Ｓ８２で決定された順に、各ログ情報収集装置に蓄積されたログ情報を回収する（Ｓ８３）。
【００９５】
ログ情報収集装置に収集されて蓄積されたログ情報のデータ容量が大きいほど、このログ情報収集装置には重要なログ情報が蓄積されている可能性が高くなる。このように、蓄積されたログ情報のデータ容量が大きいログ情報収集装置から順にログ情報を回収すれば、印刷管理装置１１０は多くの重要なログ情報を効率的に回収できる。
【００９６】
図９は、ログ情報収集装置に蓄積されたログ情報の件数に基づく回収処理を説明するフローチャートの例である。装置状態取得部１１３は、印刷管理装置１１０に接続された各ログ情報収集装置から、各ログ情報収集装置に蓄積されたログ情報の件数の情報を取得する（Ｓ９１）。
【００９７】
回収装置順序決定部１１４は、装置状態取得部１１３により取得されたログ情報の件数の情報に基づき、最も蓄積されたログ情報の件数が多いログ情報収集装置を選択する。そして回収装置順序決定部１１４は、蓄積されたログ情報の件数が多い順に、ログ情報を回収するログ情報収集装置の順序を決定する（Ｓ９２）。印刷管理装置１１０は、Ｓ９２で決定された順に、各ログ情報収集装置に蓄積されたログ情報を回収する（Ｓ９３）。
【００９８】
ログ情報収集装置に収集されて蓄積されたログ情報の件数が多いほど、蓄積されたログ情報に重要なログ情報が含まれる可能性が高くなる。よって、蓄積されたログ情報の件数が多いログ情報収集装置から順にログ情報を回収すれば、印刷管理装置１１０は多くの重要なログ情報を効率的に回収できる。
【００９９】
図１０は、ログ情報収集装置に蓄積された重要ログ情報のデータ容量に基づく回収処理を説明するフローチャートの例である。
【０１００】
ここで言う重要ログ情報とは、印刷要求端末１２２、１３２を操作するユーザによって重要ログ情報であるか否かを設定されるものでも良い。例えば、印刷要求端末１２２、１３２においてユーザにより作成された印刷データが機密文書などの重要文書であった場合、この印刷データを作成したユーザは印刷要求を出す際に、印刷要求端末１２２、１３２によりこの印刷データを重要印刷データと設定する。するとこの印刷データには、重要印刷データである旨を示す識別子が付与される。そして、識別子が付与された印刷データと、印刷装置１２１、１３１で生成される印刷ログが紐付けされて、重要ログ情報としてログ情報収集装置に蓄積されても良い。
【０１０１】
このように、より重要なログ情報に識別子を付与し、重要ログ情報としてログ情報収集装置に蓄積することにより、印刷管理装置１１０の装置状態取得部１１３は通常のログ情報とより重要な重要ログ情報とを識別することができる。尚、重要ログ情報と通常のログ情報との識別の方法はこれに限定されるものではなく、印刷管理装置１１０側で重要ログ情報と通常のログ情報とを識別可能とする方法であれば別の方法であっても良い。
【０１０２】
例えば印刷要求端末１２２、１３２側である特定のキーワードを設定しおき、印刷データ中にこの特定のキーワードが含まれる場合に、この印刷データを重要印刷データとするようにしても良い。
【０１０３】
装置状態取得部１１３は、印刷管理装置１１０に接続された各ログ情報収集装置から、各ログ情報収集装置に蓄積された重要ログ情報のデータ容量の情報を取得する（Ｓ１０１）。回収装置順序決定部１１４は、装置状態取得部１１３により取得された重要ログ情報のデータ容量の情報に基づき、最も蓄積された重要ログ情報のデータ容量が大きいログ情報収集装置を選択する。そして回収装置順序決定部１１４は、蓄積された重要ログ情報のデータ容量が大きい順に、ログ情報を回収するログ情報収集装置の順序を決定する（Ｓ１０２）。印刷管理装置１１０は、Ｓ１０２で決定された順に、各ログ情報収集装置に蓄積されたログ情報を回収する（Ｓ１０３）。
【０１０４】
このように、重要ログ情報がより多く蓄積されたログ情報収集装置から順に、蓄積されたログ情報を回収すれば、印刷管理装置１１０は多くの重要なログ情報を効率的に回収できる。
【０１０５】
図１１は、ログ情報収集装置に蓄積された重要ログ情報の件数に基づく回収処理を説明するフローチャートの例である。装置状態取得部１１３は、印刷管理装置１１０に接続された各ログ情報収集装置から、各ログ情報収集装置に蓄積された重要ログ情報の件数の情報を取得する（Ｓ１１１）。
【０１０６】
回収装置順序決定部１１４は、装置状態取得部１１３により取得された重要ログ情報の件数の情報に基づき、最も蓄積された重要ログ情報の件数が多いログ情報収集装置を選択する。そして回収装置順序決定部１１４は、蓄積された重要ログ情報の件数が多い順に、ログ情報を回収するログ情報収集装置の順序を決定する（Ｓ１１２）。印刷管理装置１１０は、Ｓ１１２で決定された順に、各ログ情報収集装置に蓄積されたログ情報を回収する（Ｓ１１３）。
【０１０７】
このように、重要ログ情報がより多く蓄積されたログ情報収集装置から順に、蓄積されたログ情報を回収すれば、多くの重要なログ情報を効率的に回収できる。
【０１０８】
図１２は、ログ情報収集装置が単位時間当たりに収集したログ情報のデータ容量に基づく回収処理を説明するフローチャートの例である。尚、ここで言う単位時間は、ユーザにより予め設定されるものであっても良い。例えば単位時間を１時間としても良いし、１秒としても良い。さらには例えば印刷管理装置１１０の有するＣＰＵのクロック周波数の１周期としても良い。
【０１０９】
装置状態取得部１１３は、印刷管理装置１１０に接続された各ログ情報収集装置が単位時間当たりに収集したログ情報のデータ容量の情報を取得する（Ｓ１２１）。回収装置順序決定部１１４は、装置状態取得部１１３により取得された情報に基づき、最も単位時間当たりに収集したログ情報のデータ容量が大きいログ情報収集装置を選択する。そして回収装置順序決定部１１４は、単位時間当たりに収集したログ情報のデータ容量が大きい順に、ログ情報を回収するログ情報収集装置の順序を決定する（Ｓ１２２）。印刷管理装置１１０は、Ｓ１２２で決定された順に、各ログ情報収集装置に蓄積されたログ情報を回収する（Ｓ１２３）。
【０１１０】
単位時間あたりに収集したログ情報のデータ容量が大きいログ情報収集装置は、直近に多く利用されたことを示し、ログ情報収集装置にはより多くのログ情報が蓄積されている可能性がある。よって、このように、単位時間あたりに収集したログ情報のデータ容量が大きいログ情報収集装置から優先的に、蓄積されたログ情報を回収することにより、より多くの直近のログ情報を効率的に回収できる。
【０１１１】
図１３は、ログ情報収集装置が単位時間当たりに収集したログ情報の件数に基づく回収処理を説明するフローチャートの例である。装置状態取得部１１３は、印刷管理装置１１０に接続された各ログ情報収集装置が単位時間当たりに収集したログ情報の件数の情報を取得する（Ｓ１３１）。
【０１１２】
回収装置順序決定部１１４は、装置状態取得部１１３により取得された情報に基づき、最も単位時間当たりに収集したログ情報の件数が多いログ情報収集装置を選択する。そして回収装置順序決定部１１４は、単位時間当たりに収集したログ情報の件数が多い順に、ログ情報を回収するログ情報収集装置の順序を決定する（Ｓ１３２）。印刷管理装置１１０は、Ｓ１３２で決定された順に、各ログ情報収集装置に蓄積されたログ情報を回収する（Ｓ１３３）。
【０１１３】
単位時間あたりに収集したログ情報の件数が多いログ情報収集装置は、直近に多く利用されたことを示す。よって、単位時間あたりに収集したログ情報の件数が多いログ情報収集装置から優先的に、蓄積されたログ情報を回収することにより、印刷管理装置１１０はより多くの直近のログ情報を効率的に回収できる。
【０１１４】
図１４は、ログ情報収集装置の有するＣＰＵの稼働時間に基づく回収処理を説明するフローチャートの例である。装置状態取得部１１３は、印刷管理装置１１０に接続された各ログ情報収集装置の有するＣＰＵの稼働時間の情報を取得する（Ｓ１４１）。
【０１１５】
回収装置順序決定部１１４は、装置状態取得部１１３により取得された情報に基づき、最もＣＰＵの稼働時間が長いログ情報収集装置を選択する。そして回収装置順序決定部１１４は、ＣＰＵの稼働時間が長い順に、ログ情報を回収するログ情報収集装置の順序を決定する（Ｓ１４２）。印刷管理装置１１０は、Ｓ１４２で決定された順に、各ログ情報収集装置に蓄積されたログ情報を回収する（Ｓ１４３）。
【０１１６】
尚ここで言うＣＰＵの稼働時間とは、例えば１日のうちの稼働時間でも良いし、１時間のうちの稼働時間でも良く、あるいはログ情報収集装置の電源をオンの状態にしてから通算の稼働時間であっても良い。
【０１１７】
ＣＰＵの稼働時間が長いログ情報収集装置は良く利用されていることを示し、より多くのログ情報が蓄積されている可能性がある。よって、ＣＰＵの稼働時間が長いログ情報収集装置から優先的に蓄積されたログ情報を回収すれば、印刷管理装置１１０は効率的に多くのログ情報を回収できる。
【０１１８】
図１５は、ログ情報収集装置が稼働状態であるか否かに基づく回収処理を説明するフローチャートの例である。ここで言う稼働状態とは、ログ情報収集装置を定常状態に保つ処理以外の何らかの処理を行っている状態を示す。例えば印刷装置からのログ情報の収集処理などである。また、非稼働状態とは、ログ情報収集装置を定常状態に保つ処理以外の処理は行っていない状態を示す。
【０１１９】
装置状態取得部１１３は、印刷管理装置１１０に接続された各ログ情報収集装置が稼働状態であるか、非稼働状態であるか示す情報を取得する（Ｓ１５１）。回収装置順序決定部１１４は、装置状態取得部１１３により取得された情報に基づき、非稼働状態のログ情報収集装置を選択し（Ｓ１５２）、非稼働状態のログ情報収集装置に蓄積されたログ情報を回収した後、稼働状態のログ情報収集装置からログ情報を回収する（Ｓ１５３）。
【０１２０】
稼働状態のログ情報収集装置ではＣＰＵ負荷が増大しているため、印刷管理装置１１０によりログ情報の回収処理を行う際に、非稼働状態のログ情報収集装置に比べてログ情報の回収率が低下する。よって、非稼働状態のログ情報収集装置から優先的に、蓄積されたログ情報を回収することにより、印刷管理装置１１０は効率的により多くのログ情報を回収することができる。
【０１２１】
図１６は、ログ情報収集装置からログ情報が回収された後の経過時間に基づく回収処理を説明するフローチャートの例である。装置状態取得部１１３は、印刷管理装置１１０により前回ログ情報が回収された時刻情報を各ログ情報収集装置から取得する（Ｓ１６１）。
【０１２２】
回収装置順序決定部１１４は、装置状態取得部１１３により取得された時刻情報に基づき、印刷管理装置１１０によりログ情報が回収された後、最も長い時間経過しているログ情報収集装置を選択する。そして回収装置順序決定部１１４は、ログ情報が回収された後の経過時間が長い順に、ログ情報を回収するログ情報収集装置の順序を決定する（Ｓ１６２）。印刷管理装置１１０は、Ｓ１６２で決定された順に、各ログ情報収集装置に蓄積されたログ情報を回収する（Ｓ１６３）。
【０１２３】
ここで経過時間の算出方法について説明する。印刷管理装置１１０は、ログ情報収集装置より前回ログ情報を回収した時刻情報を取得すると、印刷管理装置１１０に内蔵されている時計機能により現在の時刻情報を取得する。そして、前回ログ情報を回収した時刻情報と現在の時刻情報を比較する。そして、印刷管理装置１１０は、この比較結果からログ情報を回収した後の経過時間を算出している。
【０１２４】
１度ログ情報が回収された後、長い時間経過しているログ情報収集装置には、より多くのログ情報が蓄積されている可能性がある。よって、前回ログ情報を回収された後の経過時間が長いログ情報収集装置から優先的に蓄積されたログ情報を回収すれば、印刷管理装置１１０はより多くのログ情報を効率的に回収できる。
【０１２５】
また、印刷管理システム１００では、ログ情報収集装置ごとに回収されるログ情報の件数が設定されていても良い。
【０１２６】
印刷管理装置１１０がログ情報を回収する際に、最初にアクセスしたログ情報収集装置に蓄積されたログ情報をすべて回収した後に、次のログ情報収集装置に蓄積されたログ情報を回収する、というように回収処理を行うと、印刷管理装置１１０がログ情報を回収することができる回収可能時間が予め設定されていた場合、限られた設定時間内に印刷感の装置１１０がアクセスできるログ情報収集装置の台数が限られてしまう。
【０１２７】
そこで、ログ情報収集装置ごとに回収されるログ情報の件数を予め設定しておいても良い。このログ情報の件に関する設定情報は、印刷管理装置１１０の装置情報格納部１１２に格納されていても良いし、ログ情報収集装置１２０、１３０側に設定されていても良い。
【０１２８】
例えば、回収装置順序決定部１１４によりログ情報を回収する順序がログ情報収集装置１２０、ログ情報収集装置１３０の順に決定されていた場合、印刷管理装置１１０は、まずログ情報収集装置１２０に蓄積されたログ情報から、設定された件数のログ情報を回収する。そして、印刷管理装置１１０は、ログ情報収集装置１２０に未回収のログ情報が残った状態であっても、次にログ情報収集装置１３０に蓄積されたログ情報から設定された件数のログ情報を回収する。
【０１２９】
このようにすれば、限られた時間内でも複数台のログ情報収集装置からログ情報を均一に回収できる。よって、特定のログ情報収集装置にログ情報が多く蓄積された状態となることがなく、例え情報漏洩があった場合でも被害を最小限に抑えることができる。
【０１３０】
次に、印刷管理装置１１０において、ログ情報収集装置の備える記憶装置の空き容量に応じて、回収するログ情報収集装置の順序を変更する場合の回収処理について説明する。図１７は、ログ情報収集装置の備える記憶装置の空き容量に応じた回収処理を説明するフローチャートの例である。
【０１３１】
まずＳ１７１、Ｓ１７２の処理において、印刷管理装置１１０は、図３ないし図１６で説明したような特定の情報に基づき、優先的にログ情報を回収するログ情報収集装置の順序を決定する。そして、決定された順序に従い、ログ情報収集装置からログ情報の回収処理を行う（Ｓ１７３）。
【０１３２】
例えばＳ１７２において、ログ情報収集装置１２０から優先的にログ情報を回収するように決定された場合には、印刷管理装置１１０はまずＳ１７３においてログ情報収集装置１２０の回収処理を行う。ログ情報収集装置１２０の回収処理が終了した後、印刷管理装置１１０は、各ログ情報収集装置において、記憶装置の空き容量がある一定量以下になっているログ情報収集装置が存在するか否かを確認する処理を行う（Ｓ１７４）。尚、ここでの一定量は、予め設定された値が印刷管理装置１１０の装置情報格納部１１２に格納されていても良い。
【０１３３】
Ｓ１７４において、装置状態取得部１１３は、ログ情報収集装置１２０、１３０それぞれの記憶装置であるデータベース１２３とデータベース１３３の空き容量の情報を取得する。そして印刷管理装置１１０は、例えばデータベース１３３の空き容量が一定の値以下となっていた場合、空き容量不足と判断し、回収装置順序決定部１１４によりログ情報収集装置１３０を次に優先的にログ情報を回収するログ情報収集装置に決定する。そして、印刷管理装置１１０は、ログ情報収集装置１３０に蓄積されたログ情報を回収する（Ｓ１７５）。
【０１３４】
このように、ログ情報収集装置の記憶装置の空き容量に応じてログ情報を回収する順序を変更することにより、印刷管理装置１１０に接続された全てのログ情報収集装置において、空き容量不足によりログ情報の収集ができなくなるという状態を回避でき、印刷管理装置１１０は効率的にログ情報を回収できる。
【０１３５】
ここで、図１７のＳ１７４におけるログ情報収集装置の備える記憶装置の空き容量不足の検出処理を、ログ情報収集装置側で行う場合について説明する。図１８は、ログ情報収集装置が空き容量不足を検出した場合の回収処理を説明するフローチャートの例である。
【０１３６】
ログ情報収集装置１２０は、印刷装置１２１よりログ情報を収集する（Ｓ１８１）。次にログ情報収集装置１２０は、データベース１２３の空き容量が一定量以上あるか否かを判断する（Ｓ１８２）。ここでの一定量については、予め設定された値がログ情報収集装置１２０の有するメモリなどに格納されていても良い。
【０１３７】
Ｓ１８２において、データベース１２３の空き容量が一定量以下の空き容量不足であると判断された場合、ログ情報収集装置１２０は印刷管理装置１１０に対してログ情報の回収要求を送信する（Ｓ１８３）。印刷管理装置１１０は、この回収要求をうけて、回収処理の対象となるログ情報収集装置１２０を特定し（Ｓ１８４）、データベース１２３に蓄積されたログ情報を回収する（Ｓ１８５）。
【０１３８】
このように、ログ情報収集装置側からログ情報の回収要求を印刷管理装置１１０へ送ることにより、例えば印刷管理装置１１０が他のログ情報収集装置に対する回収処理を行っている場合であっても、他のログ情報収集装置において記憶装置の空き容量不足によりログ情報の収集ができなくなる状態を回避できる。
【０１３９】
また、このログ情報の回収要求は、ログ情報収集装置の記憶装置に蓄積されたログ情報の件数に基づき印刷管理装置１１０へ送られても良い。この場合には、図１８のＳ１８２において、ログ情報収集装置１２０は、データベース１２３に予め設定された所定件数のログ情報が蓄積されたか否かを判断し、データベース１２３に所定件数のログ情報が蓄積されると、Ｓ１８３において印刷管理装置１１０へログ情報の回収要求を送る。また、ログ情報収集装置の記憶装置に蓄積された重要ログ情報のデータ容量や件数に基づきログ情報の回収要求が印刷管理装置１１０へ送られても良い。
【０１４０】
さらにログ情報の回収要求は、予め設定された時刻になったときログ情報収集装置から印刷管理装置１１０へ送られても良い。この場合には、図１８のＳ１８２において、ログ情報収集装置１２０の有する時計機能により取得した時刻情報が予め設定された時刻情報と一致した場合に、ログ情報収集装置よりログ情報の回収要求を印刷管理装置１１０に送信する。
【０１４１】
このように、時刻情報に基づきログ情報を印刷管理装置１１０に回収させる場合には、例えばログ情報収集装置１２０、１３０のそれぞれに設定する時刻情報を近い時刻に設定すれば、印刷管理装置１１０は、同じ時間帯に複数のログ情報収集装置からログ情報を回収することができ、効率良く各ログ情報収集装置からログ情報を回収することができる。
【０１４２】
また、ログ情報収集装置において、ログ情報が回収されるための条件を設定可能としても良い。図１９は、ログ情報収集装置においてログ情報が回収されるための条件を設定されている場合の回収処理を説明するフローチャートの例である。
【０１４３】
ここでログ情報収集装置において設定される条件とは、例えば上述した記憶装置の空き容量に関する条件、蓄積されたログ情報の件数に関する条件、所定の時刻情報に関する条件などであり、この条件はログ情報収集装置側で予め設定される。
【０１４４】
まず、ログ情報収集装置１２０、１３０において、それぞれのログ情報回収の条件を設定する（Ｓ１９１）。ここで、ログ情報収集装置１２０では、例えばログ情報が１０件蓄積されることをログ情報回収の条件とし、ログ情報収集装置１３０では、データベース１３３の空き容量が所定の値以下となる空き容量不足となることをログ情報回収の条件とする。
【０１４５】
印刷管理装置１１０は、接続されたログ情報収集装置のうち、任意のログ情報収集装置にアクセスし（Ｓ１９２）、そのログ情報収集装置がログ情報回収の条件を満たす状態となっているか否かを判断する（Ｓ１９３）。
【０１４６】
例えば印刷管理装置１１０は、まずログ情報収集装置１３０にアクセスし、ログ情報収集装置１３０が空き容量不足となっているか否かを判断する。このとき、ログ情報収集装置１３０が空き容量不足である場合、ログ情報回収の条件を満たしていることを示す情報を印刷管理装置１１０へ提供しても良い。Ｓ１９３において、ログ情報収集装置１３０がログ情報回収の条件を満たしていた場合、印刷管理装置１１０はログ情報収集装置１３０に蓄積されたログ情報を回収する（Ｓ１９４）。
【０１４７】
Ｓ１９３において、ログ情報収集装置１３０がログ情報回収の条件を満たしていない場合、印刷管理装置１１０は、ログ情報収集装置１２０へアクセスし、ログ情報収集装置１２０がログ情報回収の条件を満たしているか否かを判断する。尚、ここでログ情報収集装置１３０がログ情報回収の条件を満たさない場合、ログ情報収集装置１３０はその旨を示す情報を印刷管理装置１１０へ提供しても良い。
【０１４８】
このように、ログ情報収集装置ごとにログ情報の回収条件を設定し、それぞれのログ情報収集装置が回収条件を満たす場合に印刷管理装置１１０にログ情報を回収させることができる。このため、印刷管理装置１１０は、各ログ情報収集装置において重要とされる条件を満たす状態で、より柔軟かつ効率的にログ情報を回収できる。
【実施例２】
【０１４９】
実施例１においては、優先的にログ情報が回収されるログ情報収集装置の順序について説明した。実施例２では、各ログ情報収集装置に蓄積されたログ情報が、予め設定された設定条件に基づく順序で回収される。以下にログ情報の回収処理について説明する。
【０１５０】
図２０は、印刷ログが生成された印刷装置の種類に基づくログ情報の回収処理について説明するフローチャートの例である。
【０１５１】
ログ情報を構成する印刷データと印刷ログのうち、印刷ログには印刷データの印刷処理が行われた印刷装置の種類を識別するための識別情報が含まれている。印刷管理装置１１０では、この識別情報に基づき回収するログ情報の順序を決定する。
【０１５２】
まず印刷管理装置１１０は、ログ情報収集装置１２０、１３０に蓄積されたログ情報から、印刷装置の識別情報を取得する（Ｓ２０１）。ここで例えばカラープリンタにおいて生成されたログ情報を優先的に回収するものと設定されていたとする。
【０１５３】
印刷管理装置１１０は、ログ情報収集装置１２０、１３０に、カラープリンタの識別情報を有するログ情報があるか否かを判断し、ログ情報回収順序決定部１１５によりカラープリンタの識別情報を有するログ情報が蓄積されたログ情報収集装置を選択する（Ｓ２０２）。ここでは例えば印刷装置１２１がカラープリンタであり、印刷装置１３１がモノクロプリンタであったとする。すると、ログ情報収集装置１２０に蓄積されたログ情報は、カラープリンタの識別情報を有するログ情報であるから、印刷管理装置１１０はＳ２０２においてログ情報収集装置１２０を選択する。
【０１５４】
そして、印刷管理装置１１０は、Ｓ２０２で選択されたログ情報収集装置１２０において、カラープリンタの識別情報を有するログ情報から優先して回収する（Ｓ２０３）。ここで仮にログ情報収集装置１３０にもカラープリンタの識別情報を含むログ情報が蓄積されていた場合、印刷管理装置１１０は、ログ情報収集装置１２０に蓄積されているモノクロプリンタの識別情報を含むログ情報よりも優先的に、ログ情報収集装置１３０に蓄積されているカラープリンタの識別情報を含むログ情報を回収する。
【０１５５】
このように、例えばモノクロプリンタよりもカラープリンタのほうがより多くの重要な情報を印刷することが想定される場合には、カラープリンタの識別情報を含むログ情報を優先して回収すれば、印刷管理装置１１０は、重要な情報を早急に効率良く回収することができる。
【０１５６】
図２１は、ログ情報のデータ容量に基づく回収処理について説明するフローチャートの例である。印刷管理装置１１０は、各ログ情報収集装置に蓄積されたログ情報毎のデータ容量の情報を取得する（Ｓ２１１）。ログ情報回収順序決定部１１５は、Ｓ２１１で取得した情報に基づき、それぞれのログ情報収集装置に蓄積されたログ情報のうち、最もデータ容量の小さいログ情報を選択し、さらに選択されたログ情報が蓄積されたログ情報収集装置を選択する（Ｓ２１２）。印刷管理装置１１０は、まずＳ２１２で選択されたログ情報収集装置から、Ｓ２１２で選択された最もデータ容量の小さいログ情報を回収する（Ｓ２１３）。印刷管理装置１１０は、予め設定された回収可能時間この処理を繰り返しても良い。
【０１５７】
このようにデータ容量の小さいログ情報から優先的にログ情報を回収すれば、例えば印刷管理装置１１０においてログ情報の回収可能時間が夜間などに限定されて設定されていても、限られた時間内でより多くのログ情報を回収することができる。
【０１５８】
図２２は、重要ログ情報が収集された時刻に基づく回収処理について説明するフローチャートの例である。印刷管理装置１１０は、各ログ情報収集装置に蓄積された各ログ情報がログ情報収集装置に収集された時刻情報を取得する（Ｓ２２１）。ログ情報回収順序決定部１１５は、Ｓ２２１で取得した時刻情報に基づき、それぞれのログ情報収集装置に蓄積されたログ情報のうち、収集された時刻が最も古い重要ログ情報を選択し、さらに選択された重要ログ情報が蓄積されたログ情報収集装置を選択する（Ｓ２２２）。印刷管理装置１１０は、Ｓ２２２で選択されたログ情報収集装置から、収集された時刻が最も古い重要ログ情報を回収する（Ｓ２２３）。印刷管理装置１１０は、予め設定された回収可能時間この処理を繰り返しても良い。
【０１５９】
このように、ログ情報収集装置に収集された時刻が古い重要ログ情報から回収することにより、印刷管理装置１１０は重要ログ情報を速やかかつ効率的に回収できる。
【０１６０】
また、以上に説明した実施例における各機能を実現する手順は、コンピュータに読み取り可能な印刷管理プログラムとして記憶媒体に記録されていても良い。
【０１６１】
図２３は実施例で説明した各機能を実現させる印刷管理プログラムが記録された記憶媒体を説明する図である。記憶媒体４１０に記録されたプログラムが、コンピュータ５００に読み込まれて実行されることにより、本実施例で説明した各機能を実現することができる。
【０１６２】
例えばコンピュータ５００は、ＣＰＵ５１０、ハードディスク５２０、メモリ５３０、表示部５４０、入力部５５０、通信部５６０、記憶媒体読み込み部５７０を備えている。ＣＰＵ５１０は演算処理装置であって、コンピュータ５００において実行される演算や処理を実行する。ハードディスク５２０は、データを格納する記憶手段であって、コンピュータ５００上で動作するアプリケーションや、このアプリケーションにより作成されたデータなどが格納されている。メモリ５３０には、コンピュータ５００に係る各種の設定値や、ＣＰＵ５１０での演算結果などが格納される。
【０１６３】
表示部５４０はディスプレイなどであり、コンピュータ５００において作成されたデータなどをユーザに閲覧可能に表示する。入力部５５０は例えばキーボードやマウスであって、ユーザの操作により各種データが入力される。通信部５６０は例えばネットワークコントロールユニットなどであり、コンピュータ５００が外部の装置と通信を行うためのものである。記憶媒体読み込み部５７０は、各種記憶媒体に記録されたデータやプログラムなどを読み込むものであり、例えばフロッピー（登録商標）ディスクドライバなどである。
【０１６４】
記憶媒体４１０は、本実施例の各機能を実現させる印刷管理プログラム４００が記録されている。この印刷管理プログラム４００は、記憶媒体読み込み部５７０により読み込まれてＣＰＵ５１０において実行される。記憶媒体４１０は、例えばフロッピー（登録商標）ディスクやＣＤ−ＲＯＭ（Compact Disk Read Only Memory）等であっても良く、コンピュータ７０において読み取り可能なに媒体であれば良い。また、印刷管理プログラム４００はネットワークを介して通信部５６０により受信されて、ハードディスク５２０等に格納されても良い。
【０１６５】
以上、各実施例に基づき本発明の説明を行ってきたが、上記実施例にあげた構成、その他の要素との組み合わせなど、ここで示した要件に本発明が限定されるものではない。これらの点に関しては、本発明の主旨をそこなわない範囲で変更することが可能であり、その応用形態に応じて適切に定めることができる。
【産業上の利用可能性】
【０１６６】
本発明は、印刷ログを収集し、管理する印刷管理装置、ログ情報収集装置、印刷管理システム、印刷管理方法、印刷管理プログラム及び記憶媒体に応用することができる。
【図面の簡単な説明】
【０１６７】
【図１】本実施例の印刷管理システム１００のシステム構成図の例である。
【図２】印刷管理システム１００の動作を説明するフローチャートの例である。
【図３】ログ情報収集装置の設置場所に基づく回収処理を説明するフローチャートの例である。
【図４】ログ情報収集装置に接続された印刷装置の数に基づく回収処理を説明するフローチャートの例である。
【図５】ログ情報収集装置の情報漏洩履歴に基づく回収処理を説明するフローチャートの例である。
【図６】ログ情報収集装置が備える記憶装置の容量に基づく回収処理を説明するフローチャートの例である。
【図７】ログ情報収集装置が備える記憶装置の空き容量に基づく回収処理を説明するフローチャートの例である。
【図８】ログ情報収集装置に蓄積されたログ情報のデータ容量に基づく回収処理を説明するフローチャートの例である。
【図９】ログ情報収集装置に蓄積されたログ情報の件数に基づく回収処理を説明するフローチャートの例である。
【図１０】ログ情報収集装置に蓄積された重要ログ情報のデータ容量に基づく回収処理を説明するフローチャートの例である。
【図１１】ログ情報収集装置に蓄積された重要ログ情報の件数に基づく回収処理を説明するフローチャートの例である。
【図１２】ログ情報収集装置が単位時間当たりに収集したログ情報のデータ容量に基づく回収処理を説明するフローチャートの例である。
【図１３】ログ情報収集装置が単位時間当たりに収集したログ情報の件数に基づく回収処理を説明するフローチャートの例である。
【図１４】ログ情報収集装置の有するＣＰＵの稼働時間に基づく回収処理を説明するフローチャートの例である。
【図１５】ログ情報収集装置が稼働状態であるか否かに基づく回収処理を説明するフローチャートの例である。
【図１６】ログ情報収集装置からログ情報が回収された後の経過時間に基づく回収処理を説明するフローチャートの例である。
【図１７】ログ情報収集装置の備える記憶装置の空き容量に応じた回収処理を説明するフローチャートの例である。
【図１８】ログ情報収集装置が空き容量不足を検出した場合の回収処理を説明するフローチャートの例である。
【図１９】ログ情報収集装置においてログ情報が回収されるための条件を設定されている場合の回収処理を説明するフローチャートの例である。
【図２０】印刷ログが生成された印刷装置の種類に基づくログ情報の回収処理について説明するフローチャートの例である。
【図２１】ログ情報のデータ容量に基づく回収処理について説明するフローチャートの例である。
【図２２】重要ログ情報が収集された時刻に基づく回収処理について説明するフローチャートの例である。
【図２３】実施例で説明した各機能を実現させる印刷管理プログラムが記録された記憶媒体を説明する図である。
【符号の説明】
【０１６８】
１００  印刷管理システム
１１０  印刷管理装置
１２０、１３０  ログ情報収集装置
１２１、１３１  印刷装置
１２２、１３２  印刷要求端末
１２３、１３３  データベース
４００  印刷管理プログラム
４１０  記憶媒体
【図１】
0004698477.tif 000002
【図２】
0004698477.tif 000003
【図３】
0004698477.tif 000004
【図４】
0004698477.tif 000005
【図５】
0004698477.tif 000006
【図６】
0004698477.tif 000007
【図７】
0004698477.tif 000008
【図８】
0004698477.tif 000009
【図９】
0004698477.tif 000010
【図１０】
0004698477.tif 000011
【図１１】
0004698477.tif 000012
【図１２】
0004698477.tif 000013
【図１３】
0004698477.tif 000014
【図１４】
0004698477.tif 000015
【図１５】
0004698477.tif 000016
【図１６】
0004698477.tif 000017
【図１７】
0004698477.tif 000018
【図１８】
0004698477.tif 000019
【図１９】
0004698477.tif 000020
【図２０】
0004698477.tif 000021
【図２１】
0004698477.tif 000022
【図２２】
0004698477.tif 000023
【図２３】
0004698477.tif 000024